(57)【特許請求の範囲】
【請求項１】
複数のプロセスを実行することにより、被画像形成媒体に画像を形成する画像形成装置であって、
複数のプロセスが動作する際の基準となる動作タイミングを、プロセス毎に基準タイミングデータとして記憶する基準タイミングデータ記憶部と、
各プロセスで予想される不具合に関する情報を、プロセス毎にメンテナンスデータとして記憶するメンテナンスデータ記憶部を備え、
複数のプロセスがそれぞれ対応する前記基準タイミングデータに基づいて実動作した際の動作タイミングを、プロセス毎に測定する実動作タイミング測定部と、
前記実動作タイミング測定部により測定された動作タイミングを、プロセス毎に実動作タイミングデータとして記憶する実動作タイミングデータ記憶部と、
前記基準タイミングデータ記憶部に記憶された各プロセスの基準タイミングデータと、前記実動作タイミングデータ記憶部に記憶された各プロセスの対応する実動作タイミングデータとの差分値を、動作タイミング差分値としてプロセス毎に算出する動作タイミング差分値算出部と、
前記動作タイミング差分値算出部が算出した動作タイミング差分値と、予め設定された許容差分値とを比較し、前記動作タイミング差分値が前記許容差分値を超えるプロセスを異常プロセスとして検出するタイミングデータ比較部であって、前記動作タイミング差分値算出部が算出した動作タイミング差分値が前記許容差分値を超えず且つ当該許容差分値よりも小さい準許容差分値を超えるプロセスを準異常プロセスとして検出するタイミングデータ比較部と、
前記タイミングデータ比較部で検出された異常プロセスの実動作タイミングデータである異常実動作タイミングデータと、当該異常実動作タイミングデータと対応する異常プロセスの基準タイミングデータと、を同一時間軸上に配置して、異常プロセスのタイミングデータ群を作成するタイミングデータ群作成部であって、前記タイミングデータ比較部で検出された準異常プロセスの実動作タイミングデータである準異常実動作タイミングデータと、当該準異常実動作タイミングデータと対応する準異常プロセスの基準タイミングデータと、を同一時間軸上に配置して、準異常プロセスのタイミングデータ群を作成するタイミングデータ群作成部と、
前記タイミングデータ群作成部で作成されたタイミングデータ群を記憶するタイミングデータ群記憶部と、
を備え、
前記タイミングデータ群作成部は、前記メンテナンスデータ記憶部に記憶されたメンテナンスデータの中から、前記異常実動作タイミングデータを測定したプロセス及び／又は前記準異常実動作タイミングデータを測定したプロセスに対応するメンテナンスデータを抽出し、当該メンテナンスデータと、前記異常実動作タイミングデータ及び／又は前記準異常実動作タイミングデータとを関連付けて、異常プロセス及び／又は準異常プロセスのタイミングデータ群を作成する画像形成装置。
【請求項２】
前記タイミングデータ群作成部は、前記異常実動作タイミングデータに、前記基準タイミングデータとは異なる識別データを付加する、
請求項１に記載の画像形成装置。
【請求項３】
前記タイミングデータ群作成部は、前記準異常実動作タイミングデータに、前記基準タイミングデータ及び前記異常実動作タイミングデータとは異なる識別データを付加する、
請求項１又は２に記載の画像形成装置。
【請求項４】
前記タイミングデータ群記憶部に記憶されたタイミングデータ群を、被画像形成媒体に画像として形成する画像形成制御部を備える、
請求項１から３のいずれか一項に記載の画像形成装置。
【請求項５】
画像を表示する表示部と、
前記タイミングデータ群記憶部に記憶されたタイミングデータ群を、前記表示部に画像として表示する画像表示制御部と、
を備える請求項１から４のいずれか一項に記載の画像形成装置。
【発明の詳細な説明】
【技術分野】
【０００１】
本発明は、コピー機等の画像形成装置に関する。
【背景技術】
【０００２】
従来、コピー機等の画像形成装置においては、原稿の搬送、原稿の読取り、用紙の搬送、画像の形成、転写、定着等のプロセスを時系列に制御している。各プロセスは、互いに同期を取りながら時系列に実行されるため、その動作タイミングにずれが生じると、装置が正常に動作しなくなる。そのため、各プロセスの動作タイミングのずれが許容値を超えると、画像形成装置は、異常が発生したと判断して、自動的に動作を停止する。この場合には、メンテナンススタッフ（修理技術者）が、部品の位置等を調整したり、部品を清掃又は交換したりすることにより、装置の動作を再開させることができる。
【０００３】
上記のような複数のプロセスを制御する技術に関し、複数のアクチュエータにおける動作状態を記憶して、システム全体のタイミングチャートを作成する装置が提案されている（例えば、特許文献１参照）。
【先行技術文献】
【特許文献】
【０００４】
【特許文献１】特開２００２−２８７８２２号公報
【発明の概要】
【発明が解決しようとする課題】
【０００５】
上記従来技術の装置により作成されるタイミングチャートでは、各プロセスの動作タイミングが時系列に時間表示されるのみである。このため、異常の発生原因を特定するのが難しいという課題があった。
【０００６】
本発明は、異常の発生原因を容易に特定することができる画像形成装置を提供することを目的とする。
【課題を解決するための手段】
【０００７】
本発明は、複数のプロセスを実行することにより、被画像形成媒体に画像を形成する画像形成装置であって、複数のプロセスが動作する際の基準となる動作タイミングを、プロセス毎に基準タイミングデータとして記憶する基準タイミングデータ記憶部と、各プロセスで予想される不具合に関する情報を、プロセス毎にメンテナンスデータとして記憶するメンテナンスデータ記憶部を備え、複数のプロセスがそれぞれ対応する前記基準タイミングデータに基づいて実動作した際の動作タイミングを、プロセス毎に測定する実動作タイミング測定部と、前記実動作タイミング測定部により測定された動作タイミングを、プロセス毎に実動作タイミングデータとして記憶する実動作タイミングデータ記憶部と、前記基準タイミングデータ記憶部に記憶された各プロセスの基準タイミングデータと、前記実動作タイミングデータ記憶部に記憶された各プロセスの対応する実動作タイミングデータとの差分値を、動作タイミング差分値としてプロセス毎に算出する動作タイミング差分値算出部と、前記動作タイミング差分値算出部が算出した動作タイミング差分値と、予め設定された許容差分値とを比較し、前記動作タイミング差分値が前記許容差分値を超えるプロセスを異常プロセスとして検出するタイミングデータ比較部であって、前記動作タイミング差分値算出部が算出した動作タイミング差分値が前記許容差分値を超えず且つ当該許容差分値よりも小さい準許容差分値を超えるプロセスを準異常プロセスとして検出するタイミングデータ比較部と、前記タイミングデータ比較部で検出された異常プロセスの実動作タイミングデータである異常実動作タイミングデータと、当該異常実動作タイミングデータと対応する異常プロセスの基準タイミングデータと、を同一時間軸上に配置して、異常プロセスのタイミングデータ群を作成するタイミングデータ群作成部であって、前記タイミングデータ比較部で検出された準異常プロセスの実動作タイミングデータである準異常実動作タイミングデータと、当該準異常実動作タイミングデータと対応する準異常プロセスの基準タイミングデータと、を同一時間軸上に配置して、準異常プロセスのタイミングデータ群を作成するタイミングデータ群作成部と、前記タイミングデータ群作成部で作成されたタイミングデータ群を記憶するタイミングデータ群記憶部と、を備え、前記タイミングデータ群作成部は、前記メンテナンスデータ記憶部に記憶されたメンテナンスデータの中から、前記異常実動作タイミングデータを測定したプロセス及び／又は前記準異常実動作タイミングデータを測定したプロセスに対応するメンテナンスデータを抽出し、当該メンテナンスデータと、前記異常実動作タイミングデータ及び／又は前記準異常実動作タイミングデータとを関連付けて、異常プロセス及び／又は準異常プロセスのタイミングデータ群を作成する画像形成装置に関する。
【０００８】
【０００９】
また、画像形成装置において、前記タイミングデータ群作成部は、前記異常実動作タイミングデータに、前記基準タイミングデータとは異なる識別データを付加することが好ましい。
【００１０】
また、画像形成装置において、前記タイミングデータ群作成部は、前記準異常実動作タイミングデータに、前記基準タイミングデータ及び前記異常実動作タイミングデータとは異なる識別データを付加することが好ましい。
【００１１】
【００１２】
また、画像形成装置は、前記タイミングデータ群記憶部に記憶されたタイミングデータ群を、被画像形成媒体に画像として形成する画像形成制御部を備えることが好ましい。
【００１３】
また、画像形成装置は、画像を表示する表示部と、前記タイミングデータ群記憶部に記憶されたタイミングデータ群を、前記表示部に画像として表示する画像表示制御部と、を備えることが好ましい。
【発明の効果】
【００１４】
本発明によれば、異常の発生原因を容易に特定することができる画像形成装置を提供することができる。
【図面の簡単な説明】
【００１５】
【図１】コピー機１の全体構成を説明するための図である。
【図２】コピー機１の機能構成を示すブロック図である。
【図３】コピー機１がタイミングデータ群を印刷する場合の動作を示すフローチャートである。
【図４】タイミングデータ群の印刷例を示す説明図である。
【図５】タイミングデータ群の表示例を示す説明図である。
【発明を実施するための形態】
【００１６】
以下、図面を参照して、本発明に係る画像形成装置の一実施形態について説明する。なお、本実施形態では、画像形成装置をコピー機に適用した例ついて説明する。図１は、コピー機１の全体構成を説明するための図である。
【００１７】
コピー機１は、原稿搬送部１０と、原稿読取部２０と、用紙搬送部３０と、画像形成部４０と、転写部５０と、定着部６０と、を備える。コピー機１では、これら各部において、原稿の搬送、原稿の読取り、用紙の搬送、画像の形成、転写、定着等のプロセスが時系列に実行される。以下の説明においては、１つのジョブを開始するコマンドが入力されたときに、原稿搬送部１０、原稿読取部２０、用紙搬送部３０、画像形成部４０、転写部５０及び定着部６０においてそれぞれ実行される一連の動作を「プロセス」という。
【００１８】
原稿搬送部１０は、原稿自動送り装置（ＡＤＦ：Ａｕｔｏｍａｔｉｃ  Ｄｏｃｕｍｅｎｔ  Ｆｅｅｄｅｒ）である。原稿搬送部１０は、原稿載置部１１と、第１送りローラー１２と、ガイド１３と、タイミングローラー対１４と、原稿排出部１５と、を備える。
【００１９】
第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５において、コピー機本体２の外側には、原稿集積部１６が設けられる。原稿集積部１６には、原稿排出部１５から排出された原稿Ｇが積層して集積される。
【００２０】
原稿読取部２０は、第１読取面２１ａと、第２読取面２２ａと、を備える。第１読取面２１ａ及び第２読取面２２ａは、いずれも原稿Ｇの画像を読み取る面である。第１読取面２１ａは、ガイド１３に対向して配置された第１コンタクトガラス２１の上面に沿って設けられる。第１読取面２１ａは、原稿搬送部１０を用いて原稿Ｇの画像を読取る場合に用いられる。第２読取面２２ａは、第１読取面２１ａに隣接して（図１に示す場合では、第１読取面２１ａの右側の大部分に亘って）配置される。第２読取面２２ａは、原稿Ｇが載置される第２コンタクトガラス２２の上面に沿って設けられる。第２読取面２２ａは、原稿搬送部１０を用いずに原稿Ｇの画像を読み取る場合に用いられる。
【００２１】
また、原稿読取部２０は、照明部２３と、第１ミラー２４と、第２ミラー２５と、第３ミラー２６と、結像レンズ２７と、撮像部２８と、を備える。これら各部は、コピー機本体２の内部に設けられる。照明部２３及び第１ミラー２４は、それぞれ副走査方向Ｘに移動することができる。第２ミラー２５及び第３ミラー２６は、図１に示すように、照明部２３及び第１ミラー２４の左側に配置される。更に、第２ミラー２５及び第３ミラー２６は、第１ミラー２４、第２ミラー２５、第３ミラー２６及び結像レンズ２７を経由する、第１読取面２１ａ又は第２読取面２２ａから撮像部２８までの距離（光路長）を一定に保ちつつ、それぞれ副走査方向Ｘに移動することができる。
【００２２】
照明部２３は、原稿Ｇに光を照射する光源である。第１ミラー２４、第２ミラー２５及び第３ミラー２６は、上記の光路長を一定に保ちながら、原稿Ｇによって反射された光を結像レンズ２７に導くためのミラーである。結像レンズ２７は、第３ミラー２６から入射した光を撮像部２８に結像させる光学部材である。撮像部２８は、入射された光を電気信号に変換することにより、結像された光像に基づいて画像データを得るための撮像素子である。撮像部２８は、例えば、ＣＣＤ（Ｃｈａｒｇｅ  Ｃｏｕｐｌｅｄ  Ｄｅｖｉｃｅ）イメージセンサーやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサー等により構成される。
【００２３】
用紙搬送部３０は、第２送りローラー３１と、第３送りローラー３２と、レジストローラー対３３と、用紙排出部３４と、を備える。第２送りローラー３１は、給紙カセット３６に収容される用紙Ｔ（被画像形成媒体）を転写部５０に供給する。第３送りローラー３２は、手差しトレイ３７に載置された用紙Ｔ（被画像形成媒体）を転写部５０に供給する。レジストローラー対３３は、転写部５０にトナー画像が形成されるタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４において、コピー機本体２の外側には、排紙集積部３５が設けられる。排紙集積部３５には、用紙排出部３４から排出された用紙Ｔが積層して集積される。
【００２４】
画像形成部４０は、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９と、を備える。
【００２５】
感光体ドラム４１（４１ａ，４１ｂ，４１ｃ，４１ｄ）は、ブラック、シアン、マゼンタ及びイエローそれぞれのトナー画像を形成する感光体又は像担持体として機能する。感光体ドラム４１ａ，４１ｂ，４１ｃ，４１ｄの周囲には、感光体ドラム４１の回転方向に沿って上流側から下流側へ順に、帯電部４２、レーザースキャナーユニット４３、現像器４４、クリーニング部４５が配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（不図示）によって感光体ドラム４１の表面が除電された後の、その表面に残るトナー等を除去する。
【００２６】
トナーカートリッジ４６は、現像器４４に供給される各色のトナーを収容する容器である。トナーカートリッジ４６と現像器４４とは、トナー供給路（不図示）により接続されている。
【００２７】
１次転写ローラー４７（４７ａ，４７ｂ，４７ｃ，４７ｄ）は、中間転写ベルト４８を間に挟んで、感光体ドラム４１ａ，４１ｂ，４１ｃ，４１ｄと反対側に配置される。中間転写ベルト４８は、画像形成部４０及び転写部５０を通過する無端ベルトである。中間転写ベルト４８の一部分は、感光体ドラム４１ａ，４１ｂ，４１ｃ，４１ｄと１次転写ローラー４７ａ，４７ｂ，４７ｃ，４７ｄとの間に挟まれる。この区間において、中間転写ベルト４８には、感光体ドラム４１ａ，４１ｂ，４１ｃ，４１ｄの表面に形成されたトナー画像が１次転写される。対向ローラー４９は、環状形状の中間転写ベルト４８の内側に配置される。対向ローラー４９は、中間転写ベルト４８を図１に示す矢印Ａ方向に進行させるための駆動ローラーである。
【００２８】
転写部５０は、２次転写ローラー５１を備える。２次転写ローラー５１は、中間転写ベルト４８を間に挟んで対向ローラー４９と反対側に配置される。２次転写ローラー５１は、中間転写ベルト４８の一部分を対向ローラー４９との間に挟み込む。そして、２次転写ローラー５１は、中間転写ベルト４８に１次転写されたトナー画像を用紙Ｔに２次転写させる。
【００２９】
定着部６０は、加熱回転体６１と、加圧回転体６２と、を備える。加熱回転体６１及び加圧回転体６２は、トナー画像が２次転写された用紙Ｔを挟み込み、トナーを溶融及び加圧する。これにより、トナーは用紙Ｔに定着する。
【００３０】
次に、コピー機１の機能構成について説明する。図２は、コピー機１の機能構成を示すブロック図である。
【００３１】
コピー機１は、上述した構成要素（原稿搬送部１０、原稿読取部２０、用紙搬送部３０、画像形成部４０、転写部５０及び定着部６０）を備える。このうち、用紙搬送部３０、画像形成部４０、転写部５０及び定着部６０は、エンジン部３を構成する。なお、図１を用いて説明した構成要素については、その説明を省略する。
更に、コピー機１は、上述した機能構成に加えて、操作部７０と、記憶部８０と、制御部９０と、を備える。
【００３２】
操作部７０は、タッチパネル７１、テンキー（不図示）、及びスタートキー（不図示）等を備える。タッチパネル７１は、種々の機能（例えば、印刷倍率の設定機能や、複数のページを１枚の用紙Ｔに割り付ける機能）が割り当てられた複数のキー等を表示する。タッチパネル７１に表示されたキーは、種々の機能のうちのいずれかをコピー機１に実行させるために操作される。テンキーは、印刷部数等の数字を入力するために操作される。スタートキーは、印刷を実行させるために操作される。操作部７０は、いずれかのキーが操作されると、このキーが操作されたことを表す信号を制御部９０に供給する。
【００３３】
記憶部８０は、ハードディスクや半導体メモリ等により構成される。記憶部８０は、画像データ記憶部８１と、プログラム記憶部８２と、基準タイミングデータ記憶部８３と、実動作タイミングデータ記憶部８４と、タイミングデータ群記憶部８５と、メンテナンスデータ記憶部８６と、を備える。
【００３４】
画像データ記憶部８１は、原稿読取部２０によって読み取られた原稿Ｇに基づく画像データを記憶する。
プログラム記憶部８２は、コピー機１において利用される制御プログラム、及びこの制御プログラムによって利用されるデータ（例えば、後述する許容差分値ｄｐ、準許容差分値ｄｐｓ）等を記憶する。
【００３５】
基準タイミングデータ記憶部８３は、複数のプロセスが動作する際の基準となる動作タイミング（基準タイミング）を、プロセス毎に基準タイミングデータとして記憶する。
実動作タイミングデータ記憶部８４は、制御部９０の実動作タイミング測定部９１（後述）により測定された動作タイミング（実動作タイミング）を、プロセス毎に実動作タイミングデータとして記憶する。
タイミングデータ群記憶部８５は、制御部９０のタイミングデータ群作成部９４（後述）で作成されたタイミングデータ群を記憶する。
メンテナンスデータ記憶部８６は、上述した原稿の搬送、原稿の読取り、用紙の搬送、画像の形成、転写、定着等の各プロセスで予想される不具合に関する情報を、プロセス毎にメンテナンスデータとして記憶する。本実施形態では、メンテナンスデータとして、異常の発生原因及び調整箇所を記憶する。
【００３６】
制御部９０は、原稿搬送部１０、原稿読取部２０、エンジン部３、操作部７０等を制御する。
また、制御部９０は、実動作タイミング測定部９１と、動作タイミング差分値算出部９２と、タイミングデータ比較部９３と、タイミングデータ群作成部９４と、画像形成制御部９５と、画像表示制御部９６と、を備える。
【００３７】
実動作タイミング測定部９１は、複数のプロセスがそれぞれ対応する基準タイミングデータ（基準タイミングデータ記憶部８３に記憶されている）に基づいて実動作した際の動作タイミングを、プロセス毎に測定する。
【００３８】
動作タイミング差分値算出部９２は、基準タイミングデータ記憶部８３に記憶された各プロセスの基準タイミングデータと、実動作タイミングデータ記憶部８４に記憶された各プロセスの対応する実動作タイミングデータとの時間的な差分値を、動作タイミング差分値ｄとしてプロセス毎に算出する。
【００３９】
タイミングデータ比較部９３は、動作タイミング差分値算出部９２が算出した動作タイミング差分値ｄと、予め設定された許容差分値ｄｐとを比較し、動作タイミング差分値ｄが許容差分値ｄｐを超えるプロセス（以下、「異常プロセス」という）を検出する。許容差分値ｄｐは、基準タイミングに対して実動作タイミングのずれ量が許容される最大値である。制御部９０は、動作タイミング差分値ｄが許容差分値ｄｐを超える場合、そのプロセスには異常が発生していると判定する。
【００４０】
また、タイミングデータ比較部９３は、動作タイミング差分値算出部が算出した動作タイミング差分値ｄが許容差分値ｄｐを超えないが、許容差分値ｄｐよりも小さい準許容差分値ｄｐｓ（＜ｄｐ）を超えるプロセス（以下、「準異常プロセス」という）を検出する。準許容差分値ｄｐｓは、基準タイミングに対して実動作タイミングのずれ量が実用の範囲において許容される最大値である。制御部９０は、動作タイミング差分値ｄが準許容差分値ｄｐｓを超える場合、そのプロセスに異常は発生していないが、時間経過と共に異常が発生する可能性が高いと判定する。なお、上述した許容差分値ｄｐ及び準許容差分値ｄｐｓは、予めプログラム記憶部８２に記憶されている。
【００４１】
タイミングデータ群作成部９４は、実動作タイミング測定部９１で測定された、プロセス毎の実動作タイミングデータと、測定された各実動作タイミングデータに対応する基準タイミングデータとを同一時間軸上に配置して、プロセス毎のタイミングデータ群を作成する。このとき、タイミングデータ群作成部９４は、タイミングデータ比較部９３において、異常プロセス及び／又は準異常プロセスが検出された場合には、後述する異常プロセスのタイミングデータ群及び／又は準異常プロセスのタイミングデータ群を含めたタイミングデータ群を作成する。
【００４２】
タイミングデータ群作成部９４は、タイミングデータ比較部９３において異常プロセスが検出された場合には、その異常プロセスの実動作タイミングデータ（以下、「異常実動作タイミングデータ」という）と、その異常プロセスの基準タイミングデータとを同一時間軸上に配置して、異常プロセスのタイミングデータ群を作成する。
【００４３】
また、タイミングデータ群作成部９４は、メンテナンスデータ記憶部８６に記憶されたメンテナンスデータの中から、異常プロセスに対応するメンテナンスデータを抽出し、当該メンテナンスデータと、異常実動作タイミングデータとの関連付けを行なう。
【００４４】
なお、タイミングデータ群作成部９４は、タイミングデータ比較部９３において異常プロセスが検出されない場合には、異常プロセスのタイミングデータ群を作成しない。また、タイミングデータ群作成部９４は、メンテナンスデータ記憶部８６に異常プロセスに対応するメンテナンスデータが存在しない場合には、メンテナンスデータと異常実動作タイミングデータとの関連付けを行なわない。
【００４５】
また、タイミングデータ群作成部９４は、タイミングデータ比較部９３において準異常プロセスガ検出された場合には、その準異常プロセスの実動作タイミングデータ（以下、「準異常実動作タイミングデータ」という）と、その準異常プロセスの基準タイミングデータとを同一時間軸上に配置して、準異常プロセスのタイミングデータ群を作成する。
【００４６】
また、タイミングデータ群作成部９４は、メンテナンスデータ記憶部８６に記憶されたメンテナンスデータの中から、準異常プロセスに対応するメンテナンスデータを抽出し、当該メンテナンスデータと、準異常実動作タイミングデータとの関連付けを行なう。
【００４７】
なお、タイミングデータ群作成部９４は、タイミングデータ比較部９３において準異常プロセスが検出されない場合には、準異常プロセスのタイミングデータ群を作成しない。また、タイミングデータ群作成部９４は、メンテナンスデータ記憶部８６に準異常プロセスに対応するメンテナンスデータが存在しない場合には、メンテナンスデータと準異常実動作タイミングデータとの関連付けを行なわない。
【００４８】
上述したように、タイミングデータ群作成部９４は、プロセスのタイミングデータ群を作成する際に、タイミングデータ比較部９３において異常プロセス及び／又は準異常プロセスが検出された場合には、異常プロセスのタイミングデータ群及び／又は準異常プロセスのタイミングデータ群を作成する。そして、タイミングデータ群作成部９４は、異常等の発生していない正常なプロセスのタイミングデータ群と、異常プロセスのタイミングデータ群及び／又は準異常プロセスのタイミングデータ群とを同一時間軸上に再配置して、一つのタイミングデータ群を作成する。
【００４９】
また、タイミングデータ群作成部９４は、タイミングデータ群を作成する際に、基準タイミングデータ、実動作タイミングデータ、準異常実動作タイミングデータ及び／又は異常実動作タイミングデータに、それぞれ異なる識別データを付加する。本実施形態では、識別データとして、各タイミングデータに色データを付加する。各タイミングデータに色データを付加することにより、各タイミングデータは、それぞれ異なる色で印刷又は表示される。
【００５０】
後述するように、タイミングデータ群作成部９４は、プロセス毎に、各タイミングデータを同一時間軸上にストライプ状に配置する（図４参照）。その際に、例えば、基準タイミングデータを「茶色」、実動作タイミングデータを「青色」、準異常実動作タイミングデータを「黄色」、異常実動作タイミングデータを「赤色」というように、それぞれ異なる色を割り当てる。
【００５１】
タイミングデータ群作成部９４は、作成したタイミングデータ群を、タイミングデータ群記憶部８５（記憶部８０）に記憶する。
【００５２】
画像形成制御部９５は、タイミングデータ群記憶部８５に記憶されたタイミングデータ群を、画像形成部４０（エンジン部３）において、用紙Ｔに画像として印刷（形成）する。メンテナンススタッフは、コピー機１の操作部７０を操作して、タイミングデータ群印刷のコマンドを入力することにより、タイミングデータ群を用紙Ｔに画像として印刷することができる。
【００５３】
画像表示制御部９６は、タイミングデータ群記憶部８５に記憶されたタイミングデータ群を、インターフェース部１００を介して端末装置（不図示）に送信する。
【００５４】
インターフェース部１００は、通信ケーブル（不図示）を介して接続された端末装置との間でデータの送受信を行なう。タイミングデータ群記憶部８５に記憶されたタイミングデータ群は、画像表示制御部９６により、インターフェース部１００を介して端末装置へ送信される。送信されたタイミングデータ群は、端末装置の表示画面（表示部）上に画像として表示（形成）される。メンテナンススタッフは、コピー機１のインターフェース部１００に端末装置を接続し、端末装置からタイミングデータ群表示のコマンドを入力することにより、端末装置の表示画面上にタイミングデータ群を画像として表示させることができる。
【００５５】
次に、コピー機１の動作を、図３を参照しながら説明する。図３は、コピー機１がタイミングデータ群を印刷する場合の動作を示すフローチャートである。ここでは、コピー機１の操作部７０から、タイミングデータ群印刷のコマンドが入力された場合を例とする。
【００５６】
ステップＳ１０１において、動作タイミング差分値算出部９２は、基準タイミングデータ記憶部８３に記憶された各プロセスの基準タイミングデータを取得する。
【００５７】
ステップＳ１０２において、動作タイミング差分値算出部９２は、実動作タイミングデータ記憶部８４に記憶されている各プロセスの実動作タイミングデータを取得する。上述したように、実動作タイミング測定部９１は、ジョブが実行されると、複数のプロセスの動作タイミングをプロセス毎に測定し、実動作タイミングデータ記憶部８４に実動作タイミングデータとして記憶する。
【００５８】
ステップＳ１０３において、動作タイミング差分値算出部９２は、基準タイミングデータと、対応する実動作タイミングデータとの時間的な差分値を、動作タイミング差分値ｄとしてプロセス毎に算出する。
【００５９】
ステップＳ１０４において、タイミングデータ比較部９３は、動作タイミング差分値算出部９２が算出した動作タイミング差分値ｄと、予め設定された許容差分値ｄｐとを比較し、動作タイミング差分値ｄが許容差分値ｄｐを超える異常プロセスを検出する。
【００６０】
ステップＳ１０５において、タイミングデータ群作成部９４は、タイミングデータ比較部９３において、異常プロセスが検出されたか否かを判定する。このステップＳ１０５において、タイミングデータ群作成部９４が、異常プロセスが検出された（ＹＥＳ）と判定した場合には、処理はステップＳ１０６へ移行する。また、ステップＳ１０５において、タイミングデータ群作成部９４が、異常プロセスが検出されていない（ＮＯ）と判定した場合には、処理はステップＳ１０７へ移行する。
【００６１】
ステップＳ１０５（判定：ＹＥＳ）から移行したステップＳ１０６において、タイミングデータ群作成部９４は、異常プロセスの異常実動作タイミングデータと、この異常プロセスの基準タイミングデータとを同一時間軸上に配置して、異常プロセスのタイミングデータ群を作成する。
【００６２】
ステップＳ１０７において、タイミングデータ比較部９３は、動作タイミング差分値算出部９２が算出した動作タイミング差分値ｄが許容差分値ｄｐを超えないが、許容差分値ｄｐよりも小さい準許容差分値ｄｐｓ（＜ｄｐ）を超える準異常プロセスを検出する。
【００６３】
ステップＳ１０８において、タイミングデータ群作成部９４は、タイミングデータ比較部９３において、準異常プロセスが検出されたか否かを判定する。このステップＳ１０８において、タイミングデータ群作成部９４が、準異常プロセスが検出された（ＹＥＳ）と判定した場合には、処理はステップＳ１０９へ移行する。また、ステップＳ１０８において、タイミングデータ群作成部９４が、準異常プロセスが検出されていない（ＮＯ）と判定した場合には、処理はステップＳ１１０へ移行する。
【００６４】
ステップＳ１０９において、タイミングデータ群作成部９４は、準異常プロセスの異常実動作タイミングデータと、この準異常プロセスの基準タイミングデータとを同一時間軸上に配置して、準異常プロセスのタイミングデータ群を作成する。
【００６５】
ステップＳ１１０において、タイミングデータ群作成部９４は、メンテナンスデータ記憶部８６に記憶されたメンテナンスデータの中から、異常プロセスに対応するメンテナンスデータを抽出し、当該メンテナンスデータと異常実動作タイミングデータとの関連付けを行なう。また、タイミングデータ群作成部９４は、メンテナンスデータ記憶部８６に記憶されたメンテナンスデータの中から、準異常プロセスに対応するメンテナンスデータを抽出し、当該メンテナンスデータと準異常実動作タイミングデータとの関連付けを行なう。
【００６６】
なお、ステップＳ１１０において、タイミングデータ群作成部９４は、異常プロセスのみが検出された場合には、その異常プロセスに対応するメンテナンスデータと異常実動作タイミングデータとの関連付けを行なう。また、タイミングデータ群作成部９４は、準異常プロセスのみが検出された場合には、その準異常プロセスに対応するメンテナンスデータと準異常実動作タイミングデータとの関連付けを行なう。更に、タイミングデータ群作成部９４は、異常プロセス及び準異常プロセスが検出された場合には、その異常プロセスに対応するメンテナンスデータと異常実動作タイミングデータとの関連付けを行なうと共に、その準異常プロセスに対応するメンテナンスデータと準異常実動作タイミングデータとの関連付けを行なう。
【００６７】
また、図３には示していないが、ステップＳ１０５において異常プロセスが検出されず、且つステップＳ１０８において準異常プロセスが検出されない場合に、タイミングデータ群作成部９４は、異常等の発生していない正常なプロセスのタイミングデータ群を作成する処理を実行する。通常、メンテナンススタッフは、コピー機１に何らかの異常が発生した場合に、タイミングデータ群印刷のコマンドを入力する。しかし、コピー機１において、他の外的な要因等により異常が発生した場合には、異常プロセスも準異常プロセスも検出されないことがある。このような場合には、正常なプロセスのタイミングデータ群を作成することにより、メンテナンススタッフは、コピー機１において、プロセス以外の要因で異常が発生したと判断することができる。
【００６８】
ステップＳ１１１において、タイミングデータ群作成部９４は、各タイミングデータに色データを付加する。各タイミングデータとは、基準タイミングデータ、実動作タイミングデータ、準異常実動作タイミングデータ及び／又は異常実動作タイミングデータである。
【００６９】
ステップＳ１１２において、タイミングデータ群作成部９４は、異常等の発生していない正常なプロセスのタイミングデータ群と、異常プロセスのタイミングデータ群及び／又は準異常プロセスのタイミングデータ群とを同一時間軸上に再配置して、一つのタイミングデータ群を作成する。
ステップＳ１１３において、タイミングデータ群作成部９４は、作成したタイミングデータ群を、タイミングデータ群記憶部８５に記憶する。
【００７０】
ステップＳ１１４において、画像形成制御部９５は、タイミングデータ群記憶部８５に記憶されたタイミングデータ群を読み出し、画像形成部４０において、用紙Ｔに画像として印刷する。ステップＳ１１３の処理を実行した後、制御部９０は、本フローチャートの処理を終了する。
【００７１】
次に、タイミングデータ群の具体例について説明する。図４は、タイミングデータ群の印刷例を示す説明図である。図５は、タイミングデータ群の表示例を示す説明図である。なお、図４及び図５において、プロセス名や各タイミングデータ、時間軸上のスケール等は、一例を示す。
【００７２】
図４に示すように、本実施形態のタイミングデータ群では、プロセス毎に、各タイミングデータが同一時間軸上にストライプ状に配置されている。また、各プロセスの基準タイミングデータには、ドット状の模様が付されている。この模様は、例えば「茶色」を表す。また、異常等が発生していない正常なプロセスの実動作タイミングデータには、斜線（実線）の模様が付されている。この模様は、例えば「青色」を表す。また、準異常プロセスの準異常実動作タイミングデータには、斜線（破線）による模様が付されている。この模様は、例えば、「黄色」を表す。更に、異常プロセスの異常実動作タイミングデータ（図中、Ｂ）には、斜線による格子状の模様が付されている。この模様は、例えば「赤色」を示す。以下、それぞれのタイミングデータに上記の色が付されているものとして説明する。
【００７３】
図４において、レジストクラッチの実動作タイミングデータを示すデータ項目１０１には、黄色が付されている。これは、レジストクラッチの実動作タイミングデータが、準異常実動作タイミングデータであることを示している。従って、メンテナンススタッフは、図４に示すタイミングデータ群を参照することにより、レジストクラッチを動作させるプロセスに、異常につながるタイミングのずれが発生していることを認識することができる。従って、メンテナンススタッフは、この段階でレジストクラッチのタイミングのずれを調整することにより、該当箇所における異常の発生を可及的に防止することができる。なお、レジストクラッチのデータ項目には、この準異常実動作タイミングデータに関連付けられたメンテナンスデータが印刷されるが、図４では図示を省略する。
【００７４】
また、図４において、定着搬送センサーの実動作タイミングデータを示すデータ項目１０２には、赤色が付されている。これは、定着搬送センサーの実動作タイミングデータが、異常実動作タイミングデータであることを示している。従って、メンテナンススタッフは、図４に示すタイミングデータ群を参照することにより、定着搬送センサーを動作させるプロセスに、異常の原因となるタイミング（定着タイミング）のずれが発生していることを理解することができる。
【００７５】
また、異常が発生している定着搬送センサーのデータ項目には、この異常実動作タイミングデータに関連付けられたメンテナンスデータの表示枠１０３が印刷される。図４では、メンテナンスデータとして、異常の発生原因及び調整箇所を示す。メンテナンスデータとして表示された「Ｆｉｘ  ＴｉｍｉｎｇＮＧ」は、異常の発生原因を示す。ここでは、定着タイミングのずれが異常の発生原因として示されている。また、「Ａｄｊｕｓｔ：Ｕ０３５」は、調整箇所を示す。ここでは、給紙台クラッチのタイミングを調整することが示されている。従って、メンテナンススタッフは、タイミングデータ群に表示されたメンテナンスデータを参照することにより、異常の発生原因や調整箇所を速やかに特定することができる。このため、調整箇所に対して速やかに調整等を行うことができる。
【００７６】
なお、コピー機１に発生した異常により、図４に示すタイミングデータ群の印刷ができない場合には、操作部７０に「タイミングデータ群を印刷できません」等のメッセージを表示させてもよい。
【００７７】
また、図５に示すように、端末装置（不図示）の表示画面上にタイミングデータ群の画像を表示させることもできる。図５に示すタイミングデータ群は、図４に示すタイミングデータ群と同じであるため説明を省略する。メンテナンススタッフは、コピー機１のインターフェース部１００（図２参照）に端末装置を接続し、端末装置からタイミングデータ群表示のコマンドを入力することにより、端末装置の表示画面上に図５に示すタイミングデータ群を画像として表示させることができる。なお、コピー機１に大型の表示装置が搭載されている場合には、図５に示すタイミングデータ群を、この表示装置に表示してもよい。
【００７８】
以上説明したように、本実施形態のコピー機１によれば、以下の効果が奏される。
本実施形態のコピー機１は、異常プロセスの異常実動作タイミングデータと、その異常プロセスの基準タイミングデータとを同一時間軸上に配置して、異常プロセスのタイミングデータ群を作成する。このため、メンテナンススタッフは、このタイミングデータ群を参照することにより、異常の発生原因を容易に特定することができる。従って、メンテナンススタッフは、コピー機１における異常の発生に対して速やかに対処することができる。
【００７９】
また、コピー機１は、準異常プロセスの準異常実動作タイミングデータと、その準異常プロセスの基準タイミングデータとを同一時間軸上に配置して、準異常プロセスのタイミングデータ群を作成する。このため、メンテナンススタッフは、このタイミングデータ群を参照して、異常につながるタイミングのずれ等が発生している箇所を容易に特定することができる。従って、メンテナンススタッフは、コピー機１における異常の発生を未然に抑制することができる。このように、異常につながるタイミングのずれ等が発生している箇所が早期に分かるので、特に、突発的に発生するタイミングずれ等の抑制に有効である。
【００８０】
また、コピー機１は、異常実動作タイミングデータに、基準タイミングデータとは異なる色データ（識別データ）を付加する。このため、メンテナンススタッフは、タイミングデータ群から異常実動作タイミングデータを容易に見つけ出すことができる。また、メンテナンススタッフは、基準タイミングと異常実動作タイミングとのずれを視覚的に把握することができる。これによれば、メンテナンススタッフは、異常の発生した箇所の大まかな調整量を前もって判断できるので、異常の発生に対してより速やかに対処することができる。
【００８１】
また、コピー機１は、準異常実動作タイミングデータに、基準タイミングデータ及び異常実動作タイミングデータとは異なる色データ（識別データ）を付加する。このため、メンテナンススタッフは、タイミングデータ群から準異常実動作タイミングデータを容易に見つけ出すことができる。また、メンテナンススタッフは、基準タイミングと準異常実動作タイミングとのずれを視覚的に把握することができる。これによれば、メンテナンススタッフは、異常の発生につながる箇所の大まかな調整量を前もって判断できるので、異常の発生を未然に抑制する作業をより速やかに行なうことができる。
【００８２】
また、コピー機１は、メンテナンスデータと、異常実動作タイミングデータ及び／又は準異常実動作タイミングデータとを関連付けてタイミングデータ群を作成する。このため、メンテナンススタッフは、異常の発生原因及び／又は異常の発生につながる原因だけでなく、調整箇所を速やかに特定することができる。
【００８３】
また、コピー機１は、タイミングデータ群を用紙Ｔに画像として印刷する。このため、メンテナンススタッフは、異常の発生原因を容易に特定できるだけでなく、そのタイミングデータ群に対して書き込み等を行うことができる。
【００８４】
また、コピー機１は、タイミングデータ群を端末装置の表示画面上に画像として表示する。このため、コピー機１に発生した異常によりタイミングデータ群の印刷ができない場合でも、メンテナンススタッフは、タイミングデータ群を端末装置の表示画面上に表示させることにより、異常の発生原因を容易に特定することができる。
【００８５】
なお、本発明は、上述した実施形態に限定されることなく、種々の形態で実施することができる。
上記実施形態では、異常等の発生していない正常なプロセスのタイミングデータ群と、異常プロセスのタイミングデータ群及び／又は準異常プロセスのタイミングデータ群とを同一時間軸上に再配置して、一つのタイミングデータ群を作成する例について説明した。しかし、正常なプロセスのタイミングデータ群を作成せずに、異常プロセスのタイミングデータ群のみ又は準異常プロセスのタイミングデータ群のみを作成してもよい。更に、正常なプロセスのタイミングデータ群を作成せずに、異常プロセスのタイミングデータ群及び準異常プロセスのタイミングデータ群のみを作成してもよい。
【００８６】
上記実施形態では、準異常実動作タイミングデータ及び／又は異常実動作タイミングデータに、識別データとして色データを付加する例について説明した。しかし、識別データは、この形態に限定されることなく、他の形態であってもよい。例えば、識別データは、図４及び図５に示すような模様であってもよい。また、各タイミングデータを示すストライプ形状の枠にのみに色を付してもよい。更に、文字、記号、図形等を付してもよい。
【００８７】
上記実施形態では、メンテナンスデータとして、異常の発生原因及び調整箇所を記憶する例について説明した。しかし、メンテナンスデータは、この形態に限定されることなく、他の形態であってもよい。例えば、部品清掃や交換の要否、交換部品の品番、調整方法等であってもよい。また、基準タイミングとのずれ量（時間）であってもよい。
【００８８】
上記実施形態において、タイミングデータ群記憶部８５に記憶したタイミングデータ群は、用紙への印刷や端末装置への表示に限らず、他の形態でも利用することができる。例えば、タイミングデータ群を、通信回線を介して遠隔のサービスステーション等に転送してもよい。
【００８９】
本発明に係る画像形成装置は、上述したコピー機１に限定されない。例えば、本発明に係る画像形成装置は、ファクシミリやプリンターであってもよい。また、本発明に係る画像形成装置は、コピー機能、ファクシミリ機能、プリンター機能及びスキャナー機能を備えた複合機であってもよい。
【符号の説明】
【００９０】
１…コピー機（画像形成装置）、３…エンジン部、８３…基準タイミングデータ記憶部、８４…実動作タイミングデータ記憶部、８５…タイミングデータ群記憶部、８６…メンテナンスデータ記憶部、９０…制御部、９１…実動作タイミング測定部、９２…動作タイミング差分値算出部、９３…タイミングデータ比較部、９４…タイミングデータ群作成部、９５…画像形成制御部、９６…画像表示制御部
【図１】
0005548649.tif 000002
【図２】
0005548649.tif 000003
【図３】
0005548649.tif 000004
【図４】
0005548649.tif 000005
【図５】
0005548649.tif 000006